(57)【特許請求の範囲】
【請求項１】
下端部を地表面に載置し、上端部にゴルフボールを載置して用いる中空構造を有する円錐台状のゴルフティーであって、
前記ゴルフティーは、前記下端部から前記上端部に向かって延びる支柱を複数有し、
前記支柱それぞれの間には前記支柱よりも薄肉の側壁部が形成されており、
前記側壁部それぞれには、複数の通気孔が設けられ、
形態復元性を有するものであり、
前記下端部が前記支柱により形成された下端突起部と、前記側壁部を切り欠いた切欠部とからなり、
前記上端部が前記支柱及び隣り合う前記通気孔間の前記側壁部により形成された上端突起部と、前記通気孔の一部とからなり、
前記通気孔が前記下端部から前記上端部に向かって略等間隔に配設されており、且つ
前記ゴルフティーの長さ方向とは垂直な面で、且つ、通気孔を横断する面で切断可能となっていることを特徴とするゴルフティー。  
【請求項２】
前記下端部から前記上端部に行くに従って前記通気孔の面積が大きくなることを特徴とする、請求項１記載のゴルフティー。
【請求項３】
前記ゴルフティーの長さ方向とは垂直方向に複数配設された前記通気孔が同形のものとなっており、且つ
当該通気孔の中心を横断する面で切断可能となっていることを特徴とする、請求項１記載のゴルフティー。
【請求項４】
前記通気孔を切断するための目印が前記通気孔周辺に設けられていることを特徴とする、請求項１記載のゴルフティー。
【請求項５】
前記切欠部が山状であることを特徴とする、請求項１記載のゴルフティー。
【請求項６】
ポリエチレン及び／又はポリプロピレンからなることを特徴とする、請求項１記載のゴルフティー。
【発明の詳細な説明】
【技術分野】
【０００１】
本発明は、地表面に載置して用いるゴルフティーに関する。
【背景技術】
【０００２】
現在用いられているゴルフティーは、図１１に示すようにゴルフボールを載せるベース部５１と、ベース部５１の中央から下方に伸びた棒状のティー部５２とを備えた構造を有している。
このゴルフティーは、ティー部を地面に突き刺して用いられる。
このため、地表面を損傷させたり、寒い時期に地面が凍ると、ゴルフティーが突き刺せない等の問題が生じる。
また、ティー部の突き刺さる深さによって、ベース部の高さが変わることから、ティーアップ時の高さ調整が困難である。【０００３】
また、このゴルフティーを用いて、ゴルフクラブでゴルフボールを打つとき（以下「インパクト時」という。）、ゴルフティーも同時に打ってしまい、その結果、ゴルフボールと共にゴルフティーもどこかに飛んで行ってしまう（以下「共飛び」という。）ことになる。
この場合、ゴルフティーを紛失してしまったり、ゴルフティーが破損したりする虞がある。【０００４】
ところで、地面に突き刺すタイプのゴルフティーに代えて、地表面に載置するタイプのゴルフティーが提供されている（例えば下記特許文献１〜６参照）。
これらの筒状（円筒状）又は円錐台状のゴルフティーは、地表面に載置して用いるタイプのゴルフティーであるため、地表面を損傷させたり、ゴルフティーを突き刺せないという問題を解決することができる。
【特許文献１】特開昭６２−１３９６７８号公報
【特許文献２】実開平０５−０９１７３６号公報
【特許文献３】実開平０６−０６６７３３号公報
【特許文献４】特開２００１−２５９１００号公報
【特許文献５】特開２００５−１３７６２１号公報
【特許文献６】実開平０７−０４３０９１号公報
【発明の開示】
【発明が解決しようとする課題】
【０００５】
しかしながら、上記特許文献１〜５に記載のゴルフティーは、筒状であるため、これを地表面に載置するのみではゴルフボールを支持する支持安定性が十分ではない。
特にティーグランドは一般に芝が生えているため、芝の障害により上記ゴルフティーが転倒する虞がある。
また、地表面が平面でない場合のみならず、風等が吹いた場合であっても、上記特許文献１〜５に記載のゴルフティーは転倒する虞がある。【０００６】
一方、上記特許文献６記載のゴルフティーは、円錐台状であるため、上記円筒状のゴルフティーと比較すると、比較的支持安定性があるが、風等の影響を受けやすいため、支持安定性は十分ではない。
また、平面部材の一端をフックして製造されるため、ゴルフティーに衝撃が加わるたびに破損する虞がある。【０００７】
よって、これら特許文献１〜６に記載のゴルフティーは、支持安定性及びゴルフティーの共飛び抑制を十分に満足させるものではない。【０００８】
本発明は上記事情に鑑みてなされたものであり、支持安定性に優れ、ゴルフティーの共飛びを極力抑制することができるゴルフティーを提供することを目的とする。
【課題を解決するための手段】
【０００９】
本発明者らは、上記課題を解決するため鋭意検討したところ、軽量化のためにゴルフティーの側壁部を薄肉とし、支持安定性を向上させるために支柱を設けることで、上記課題を解決し得ることを見出し、本発明を完成するに至った。【００１０】
すなわち、本発明のゴルフティーは、下端部を地表面に載置し、上端部にゴルフボールを載置して用いる中空構造を有する円錐台状のゴルフティーであって、ゴルフティーは、下端部から上端部に向かって延びる支柱を複数有し、支柱それぞれの間には支柱よりも薄肉の側壁部が形成されており、側壁部それぞれには、複数の通気孔が設けられ、形態復元性を有するものであり、下端部が支柱により形成された下端突起部と、側壁部を切り欠いた切欠部とからなり、上端部が支柱及び隣り合う通気孔間の側壁部により形成された上端突起部と、通気孔の一部とからなり、通気孔が下端部から上端部に向かって略等隔に配設されており、且つゴルフティーの長さ方向とは垂直な面で、且つ、通気孔を横断する面で切断可能となっていることを特徴とする。
【００１１】
本発明のゴルフティーは、側壁部を支柱よりも薄肉とし、かつ通気孔を設けることで、軽量化を図っている。
また、上記ゴルフティーは、中空構造を有する円錐台状としている。
このため、本発明のゴルフティーは、ゴルフティーが軽量であることに加え、円筒台状のゴルフティーの外面のみならず中空部や通気孔からも空気抵抗を受けることから、共飛びする距離が十分に抑制される。【００１２】
また、上記ゴルフティーは円錐台状となっているため、風等の影響によるゴルフティーの転倒が防止される。
すなわち、通常軽量のゴルフティーであれば、風等の影響により、転倒しやすくなるところ、本発明のゴルフティーは、側壁部に通気孔を有するため、たとえ風等が吹いたとしても、風が通気孔を通過することから、風等の影響を受けにくい。【００１３】
さらに、上記ゴルフティーは、上端部にゴルフボールを載置しても、このゴルフボールが側壁部より厚肉な支柱により支持されるため、形態を維持することができる。
よって、本発明のゴルフティーは軽量でありながら支持安定性に優れるものとなる。【００１４】
本発明のゴルフティーは、形態復元性を有する。
このため、インパクト時に、ゴルフボールと共にゴルフティーに衝撃が加わった場合であっても、ゴルフティーの破損が抑制される。また、上記ゴルフティーは軽量であり、弾力性にも富むので、ゴルフティーによる衝撃エネルギー（ゴルフクラブの運動エネルギー）の消失が抑制される。このため、ゴルフボールに効率的に衝撃エネルギーが伝達される。【００１５】
また、上記ゴルフティーは、形態復元性を有するため、例えば、折り畳んでポケット等に収容させることができ、また、その際、復元状態となることから、ポケットから落ちることも防止される。【００１６】
よって、本発明のゴルフティーによれば、支持安定性に優れるものとでき、ゴルフティーの共飛びを極力抑制することができる。【００１７】
上記ゴルフティーにおいて、下端部から上端部に行くに従って通気孔の面積が大きくなることが好ましい。【００１８】
上記ゴルフティーは、ゴルフティーの上端部側の通気孔のほうが面積が大きいため、ゴルフティーの上端部側では風がより通過しやすくなる。このことにより、ゴルフティーの上端部側がより風の影響を受けにくくなるため、ゴルフティーの支持安定性が向上する。【００１９】
上記ゴルフティーにおいて、通気孔が下端部から上端部に向かって略等間隔に配設されており、且つゴルフティーの長さ方向とは垂直な面で切断可能となっていることが好ましい。【００２０】
このように、上記ゴルフティーは、切断可能となっているため、ティーアップの位置を所望の高さとすることができる。すなわち、ティーアップの位置を低くしたい場合には、ゴルフティーのその位置において、ゴルフティーの長さ方向とは垂直な面で切断すればよい。【００２１】
このとき、通気孔が長さ方向に略等間隔に配設されているため、ゴルフティーを切断する際、通気孔を高さ方向の切断位置の目安とすることができる。
これにより、複数のゴルフティーの高さを調整したい場合、所定の通気孔の位置を目安としてゴルフティーを切断できるため、ゴルフティーごとの高さのばらつきが少なくなる。【００２２】
上記ゴルフティーにおいて、ゴルフティーの長さ方向とは垂直方向に複数配設された通気孔が同形のものとなっており、且つ通気孔の中心を横断する面で切断可能となっていることが好ましい。【００２３】
このように、上記ゴルフティーは、切断可能となっているため、ティーアップの位置を所望の高さとすることができる。
すなわち、ティーアップの位置を低くしたい場合には、ゴルフティーのその位置において、ゴルフティーの長さ方向とは垂直な面で切断すればよい。【００２４】
このとき、通気孔が同形であると、ゴルフティーを切断する際、横方向（水平方向）の切断位置の目安とすることができる。
すなわち、上記通気孔を目安として切断することにより、ゴルフティーの長さ方向とは垂直な面で容易に切断することができる。【００２５】
また、この場合、ゴルフティーが通気孔の中心を横断する面で切断されるため、ゴルフティーの上端部の通気孔が同形状のものとなる。
したがって、上記ゴルフティーにゴルフボールを載置する場合、ゴルフボールをより安定化できる。【００２６】
ここで、通気孔を切断するための目印が通気孔周辺に設けられていることが好ましい。
目印が設けられていると、それに沿って切断することにより、ゴルフティーの長さ方向とは垂直な面で容易に切断することができる。【００２７】
上記ゴルフティーにおいて、下端部が支柱により形成された下端突起部と、側壁部を切り欠いた切欠部と、からなることが好ましい。【００２８】
下端部に下端突起部が設けられていると、地表面にある障害物を極力避けることができる。
すなわち、芝が生えたティーグラウンド等の地表面にこのゴルフティーを載置する場合であっても、本発明のゴルフティーは、支持安定性をより向上させることができる。【００２９】
また、切欠部が山状であることが好ましい。
この場合、より確実に地表面にある芝等の障害物を避けることができる。【００３０】
上記ゴルフティーにおいて、上端部が支柱及び隣り合う通気孔間の側壁部により形成された上端突起部と、通気孔の一部と、からなることが好ましい。【００３１】
上端部に上端突起部が設けられていると、本発明のゴルフティーにゴルフボールを載置する場合、ゴルフティーの上端突起部とゴルフボールとが接することになる。
したがって、上記ゴルフティーによれば、ゴルフボールの一部が浮いた状態となるため、インパクト時の衝撃エネルギーの消失を抑制できる。【００３２】
上記ゴルフティーは、ポリエチレン及び／又はポリプロピレンからなることが好ましい。
この場合、十分な柔軟性を備えると共に、弾力性に富むゴルフティーとすることができる。
【発明の効果】
【００３３】
本発明のゴルフティーによれば、支持安定性に優れるものとでき、ゴルフティーの共飛びを極力抑制することができる。
【発明を実施するための最良の形態】
【００３４】
以下、図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。【００３５】
図１は、本発明のゴルフティーの実施形態を模式的に示した斜視図であり、図２は、図１に示すゴルフティーのＩ−Ｉ線断面図である。
図１に示すように、本実施形態に係るゴルフティー１０は、中空構造を有する円錐台状となっている。
このゴルフティー１０は、上端部５と下端部６とを有し、下端部６を地表面に載置し、上端部５にゴルフボールを載置して用いられる。【００３６】
図１に示すように、円錐台状の上記ゴルフティー１０は、下端部６から上端部５に向かって延びる支柱１を有する。
この支柱１は、図２に示すように、略等間隔に６本配置されている。
そして、これらの支柱１それぞれの間には支柱１よりも薄肉の側壁部２が形成されている。【００３７】
この側壁部２は、形態復元性に優れた部材で構成されており、上記ゴルフティー１０の長さ方向とは垂直方向（以下「周方向」という。）に切断した面が円状となるように、支柱１同士の間で弓状になっている。【００３８】
また、図１に示すように、側壁部２には、複数の通気孔３が設けられている。この通気孔３は、楕円形状となっており、下端部６から上端部５に行くに従って通気孔３の面積が大きくなるように略等間隔に配設されている。
さらに、上記通気孔３はゴルフティー１０の周方向にも複数配設されており、周方向に配設された通気孔３同士は同形のものとなっている。
言い換えると、周方向に配設された通気孔３同士は同形であるが、ゴルフティー１０の下端部６から上端部５に行く方向に配設された通気孔３同士は同形ではなく、上端部５に行くに従って面積が徐々に大きくなっている。【００３９】
上記ゴルフティー１０の下端部６は、支柱１により形成された下端突起部６ａと、側壁部２の下端を山状に切り欠いた切欠部６ｂとからなっている。
一方、上記ゴルフティー１０の上端部５は、支柱１及び隣り合う通気孔３間の側壁部２により形成された上端突起部５ａと、通気孔３の一部５ｂとからなっている。
すなわち、上記ゴルフティー１０は、下端突起部６ａが地表面と接し、上端突起部５ａがゴルフボールと接することになる。【００４０】
本実施形態に係るゴルフティー１０は、側壁部２の厚みを薄くし、通気孔３を設けることで軽量化されると共に、側壁部２よりも厚肉の支柱１を設けることで、ゴルフティー１０の支持安定性が図られている。
なお、上記ゴルフティー１０は、軽量化されるため、ゴルフティー１０の原料コストも削減される。【００４１】
このときの上記支柱１の厚みは、ゴルフボールの支持安定性やゴルフティーの軽量化の観点から、０．４〜１．０ｍｍであることが好ましい。
また、側壁部２の厚みは、ゴルフティーの形態復元性及び軽量化の観点から、０．２〜０．９ｍｍであることが好ましい。【００４２】
上記ゴルフティー１０は、中空構造を有する円錐台状である。
このため、本発明のゴルフティーが共飛びする際は、ゴルフティーの外面が受ける空気抵抗が大きくなる。
また、上記ゴルフティー１０は、円錐台状であるため、重心が円筒状のものと比較して低い位置にある。このため、風等の影響でゴルフティーが倒れることが防止される。【００４３】
また、上記ゴルフティー１０は、側壁部２に通気孔３を有するため、たとえ風等が吹いたとしても、風が通気孔３を通過することから、風等の影響を受けにくい。
さらに、上記ゴルフティー１０を地表面に載置した場合、ゴルフティーの上方の通気孔３の面積が大きくなっているため、ゴルフティー１０の上部では風がより通過しやすくなっている。
このため、上記ゴルフティー１０は、特に支持安定性に優れるものとなる。【００４４】
上記ゴルフティー１０において、当該ゴルフティー１０を地表面に載置した場合、ゴルフティーの支柱及び側壁部と、地表面とのなす角度が６０〜８９度であることが好ましい。
角度が６０度未満であると、角度が上記範囲にある場合と比較して、インパクト時にゴルフボールよりも先にゴルフティー１０にゴルフクラブが当たり易い。
一方、角度が８９度を超えると、角度が上記範囲にある場合と比較して、風等の影響により、転倒しやすくなる傾向にある。【００４５】
上記ゴルフティー１０は、形態復元性を有する。
このため、インパクト時に、ゴルフボールと共にゴルフティーに衝撃が加わった場合であっても、ゴルフティーの破損が抑制される。
また、本発明のゴルフティーは軽量であり、弾力性にも富むので、ゴルフティー１０による衝撃エネルギーの消失が抑制される。【００４６】
また、上記ゴルフティー１０は、形態復元性を有するため、例えば、折り畳んでポケット等に収容させることができ、その際、復元状態になることから、ポケットから落ちることも防止される。【００４７】
このような形態復元性は、ゴルフティー１０を熱可塑性樹脂で製造し、かつ上述したように側壁部を薄くすることで達成される。
上記熱可塑性樹脂としては、特に限定されないが、リサイクルの観点から、ポリエチレン、ポリプロピレン等のポリオレフィン、ゴム、合成ゴム等のエラストマー等を用いることが好ましい。
これらは単独で用いても、混合して用いてもよい。
この場合、形態復元性に優れるゴルフティーが得られる。
また、上記ゴルフティー１０を廃棄する際には、廃棄するゴルフティーを溶融し、再成形することにより、再びゴルフティーとして利用できる。【００４８】
これらの中でも、ポリエチレンであることがより好ましい。
この場合、より十分な柔軟性を備えると共に、弾力性に富むゴルフティーとすることができる。
特にポリエチレンの中でも低密度の軟質ポリエチレンであることが一層好ましい。
なお、環境面を考慮すると、上記熱可塑性樹脂は、澱粉（トウモロコシ澱粉）、セルロース、カラギーナン、キチン・キトサン質等から製造される生分解性樹脂であることが好ましい。また、かかる生分解性樹脂には、木粉、紙繊維等が混合されていてもよい。【００４９】
本実施形態に係るゴルフティー１０は、上記のような構成を有するため、支持安定性に優れ、ゴルフティーの共飛びを極力抑制することができる。【００５０】
また、上記ゴルフティー１０は、切断可能となっている。
このため、ティーアップの位置を所望の高さとすることができる。
すなわち、ティーアップの位置を低くしたい場合には、ゴルフティー１０のその位置において、ゴルフティーの長さ方向とは垂直の面となるように切断すればよい。【００５１】
上記ゴルフティー１０において、通気孔３は長さ方向に略等間隔に配設されている。
このため、ゴルフティー１０を切断する際、通気孔３を高さ方向の切断位置の目安とすることができる。
これにより、複数のゴルフティー１０の高さを調整したい場合、所定の通気孔３の位置を目安としてゴルフティー１０を切断できるため、ゴルフティー１０ごとの高さのばらつきが少なくなる。【００５２】
また、上記ゴルフティー１０において、周方向に配設された通気孔３は、同形となっているため、ゴルフティー１０を切断する際、横方向（水平方向）の切断位置の目安とすることができる。
すなわち、上記通気孔３の位置を目安として切断することにより、ゴルフティーの長さ方向とは垂直な面で容易に切断することができる。【００５３】
この場合、通気孔の中心を横断する面で切断することが好ましい。
そうすると、ゴルフティー１０の上端部５の通気孔が同形状のものとなる。
すなわち、楕円形状の通気孔３の中心を横断する面で切断するので、上端部５を構成する通気孔３の一部５ｂはＵ字状となる。
このため、上記ゴルフティー１０にゴルフボールを載置する場合、ゴルフボールをより安定化させることができる。【００５４】
上記ゴルフティー１０には、通気孔３を切断するための目印が通気孔３周辺に設けられていることが好ましい。
目印が設けられていると、それに沿って切断することにより、ゴルフティーの長さ方向とは垂直な面で容易に切断することができる。【００５５】
図３は、本実施形態に係るゴルフティーを用いてティーアップした状態を模式的に示した斜視図である。
図３に示すように、本実施形態に係るゴルフティー１０は、下端部６側が地表面１００となるようにゴルフティー１０が地表面１００上に載置され、ゴルフティー１０の上端部５上にはゴルフボール５０が載置されている。【００５６】
本実施形態に係るゴルフティー１０は、上述したように下端部６に下端突起部６ａが設けられている。
このため、ゴルフティー１０を地表面１００に載置する際には、下端突起部６ａが地表面１００と接することになる。
このことから地表面１００とゴルフティー１０の下端部６との間には空間が生じるため、地表面１００に凹凸があったり、小石等の障害物があったり、芝等が生えていたとしても、これらを避けてゴルフティー１０を地表面１００に載置できる。【００５７】
また、上記ゴルフティー１０は、上端部５ａにゴルフボール５０を載置しても、このゴルフボール５０が側壁部２より厚肉な支柱１により支持されるため、形態を維持することができる。
よって、上記ゴルフティー１０は、支持安定性に優れるものとなる。【００５８】
上記ゴルフティー１０は、上述したように上端部５に上端突起部５ａが設けられている。
このため、ゴルフボール５０をゴルフティー１０の上端部５に載置する際には、上端突起部５ａがゴルフボール５０と接することになる。
このことからゴルフティー１０の上端部５ａとゴルフボールの一部が浮いた状態となるため、インパクト時の衝撃エネルギーの消失を十分に抑制できる。【００５９】
図４の（ａ）は、通気孔を有さない円錐台状のゴルフティーに対する風の影響を説明するための説明図であり、図４の（ｂ）は、本実施形態に係るゴルフティーに対する風の影響を説明するための説明図である。【００６０】
図４の（ａ）に示すように、通気孔を有さない円錐台状のゴルフティー１１を地表面に載置し、所定の方向から風Ｗをこのゴルフティー１１に当てると、このゴルフティー１１は、円錐台状であるため安定性があるものの、特に強い風がゴルフティー１１の上部に当たると、該ゴルフティー１１は矢印Ａの方向に容易に転倒する。
一方、図４の（ｂ）に示すように、本実施形態に係るゴルフティー１０を同様にして地表面に載置し、所定の方向から風Ｗをこのゴルフティー１０に当てると、このゴルフティー１０は、通気孔３を有するため、風Ｗが通気孔３を通過することになる。
特に上記ゴルフティー１０において、通気孔３は上方にいくに従って、通気孔３が大きくなっているため、特に強い風がゴルフティー１０の上部に当たった場合であっても、該ゴルフティー１０の転倒を防止できる。【００６１】
図５の（ａ）及び（ｂ）は、本実施形態に係るゴルフティーを切断する方法を説明するための正面図である。
本実施形態に係るゴルフティー１０を所望の高さとしたい場合、本実施形態に係るゴルフティー１０は任意の高さで切断できる。
すなわち、図５の（ａ）に示すように、所定の高さＬ１を有するゴルフティー１０を例えばＩＩ−ＩＩ線で切断することにより、図５の（ｂ）に示す所望の高さＬ２を有するゴルフティー１２とすることができる。【００６２】
図６の（ａ）及び（ｂ）は、本実施形態に係るゴルフティーの形態復元性を説明するための断面図である。
図６の（ａ）に示すように、本実施形態に係るゴルフティー１０は、例えば、該ゴルフティー１０の両側を指で押圧することにより、容易に該ゴルフティー１０を変形させることができる。
そして、上記ゴルフティー１０を押圧から開放させると、図６の（ｂ）に示すように変形したゴルフティー１０は、元の状態に復元する。【００６３】
図７は、本実施形態に係るゴルフティーを重ねた状態を説明するための正面図である。
図７に示すように本実施形態に係るゴルフティー１０は、中空構造を有する円錐台状であるため、複数のゴルフティー１０をゴルフティー１０の長さ方向に重ねることができる。
このことにより、複数のゴルフティー１０を重ねて同時に持ち運んだり、保管することができる。【００６４】
本実施形態に係るゴルフティー１０は、所定の熱可塑性樹脂を溶融し、ゴルフティー１０を型どった金型にこれを流し込み、冷やすことにより製造される。
なお、製造方法はこれに限定されない。【００６５】
以上、本発明の好適な実施形態について説明したが、本発明は上記実施形態に限定されるものではない。【００６６】
例えば、上記実施形態において、ゴルフティー１０の支柱１の数は６本であるが、支柱１の数は、複数であれば特に限定されない。
好ましくは、支柱の数は、３〜１０本である。
支柱の数が３本未満であると、支柱の数が上記範囲にある場合と比較して、支持安定性が低下する傾向にあり、支柱の数が１０本を超えると、支柱の数が上記範囲にある場合と比較して、ゴルフティー１０の重量が大きくなるため、ゴルフティー１０の共飛びを十分に抑制できなくなる。【００６７】
図８の（ａ）及び（ｂ）は、他の実施形態に係るゴルフティーを模式的に示した断面図である。図８の（ａ）に示すように、ゴルフティー１３は、支柱１を４本有し、それぞれ略等間隔に配置されている。
また、支柱１それぞれの間には支柱１よりも薄肉の側壁部２が形成されている。
一方、図８の（ｂ）に示すように、ゴルフティー１４は、支柱１を８本有し、それぞれ略等間隔に配置されている。
また、支柱１それぞれの間には支柱１よりも薄肉の側壁部２が形成されている。【００６８】
また、上述した実施形態においては、通気孔３が楕円形状となっているが、円状、多角形状等であってもよい。
また、下端部６から上端部５に行くに従って通気孔３の面積が大きくなるように配設されているが、当該通気孔３の面積は、同じであってもよく、一定の面積を有していなくてもよい。
また、周方向に配設された通気孔３同士は同形のものとなっているが、異なっていてもよい。【００６９】
図９の（ａ）、（ｂ）、（ｃ）、（ｄ）及び（ｅ）は、他の実施形態に係るゴルフティーを模式的に示した正面図である。
図９の（ａ）に示すように、ゴルフティー１５の複数の通気孔３ａがすべて矩形であってもよく、図９の（ｂ）に示すように、ゴルフティー１６の複数の通気孔３ｂの面積を同一とし、且つ通気孔の数を増やしてもよく、図９の（ｃ）に示すように、ゴルフティー１７の通気孔３ｃの面積を変化させてもよい。
また、図９の（ｄ）及び（ｅ）に示すように、ゴルフティー２１，２２の通気孔３ｄ，３ｅが隣合う支柱間において周方向に１つ設けられていてもよく、図９の（ｄ）に示すように、ゴルフティー２１の通気孔３ｄの形状が長円形であってもよく、図９の（ｅ）に示すように、ゴルフティー２２の通気孔３ｅの形状が横長の楕円形であってもよい。
なお、図９の（ｄ）及び（ｅ）のゴルフティーは、図９の（ａ）、（ｂ）及び（ｃ）よりも高さが低く設定されている。【００７０】
また、上述した実施形態においては、下端部６から上端部５に行くに従って通気孔３が略等間隔に配設されているが、これも限定されない。
なお、周方向に配設された通気孔３の間隔についても同様である。【００７１】
さらに、上述した実施形態においては、下端部６から上端部５に向かって通気孔３が配列され、ゴルフティー１０の周方向にも通気孔３が配設されているが、下端部６から上端部５の方向にのみ通気孔３が配列されていてもよく、ゴルフティー１０の周方向にのみ通気孔３が配設されていてもよい。【００７２】
上述した実施形態において、ゴルフティー１０の下端部６に設けられた切欠部６ｂは、山状となっているが、特に限定されず、半円状、アーチ状、三角状、矩形状等であってもよい。
図１０の（ａ）、（ｂ）及び（ｃ）は、他の実施形態に係るゴルフティーの下端部を模式的に示した正面図である。
図１０の（ａ）に示すように、ゴルフティー１８の下端部の切欠部６ｃが半円状となっていてもよく、図１０の（ｂ）に示すように、ゴルフティー１９の下端部の切欠部６ｄが三角状となっていてもよく、図１０の（ｃ）に示すように、ゴルフティー１８の下端部の切欠部６ｅが矩形状となっていてもよい。【００７３】
上述した実施形態においては、ゴルフティー１０に目印が設けられているが、設けられていなくてもよい。
【産業上の利用可能性】
【００７４】
本発明によれば、支持安定性に優れ、ゴルフティーの共飛びを極力抑制することができるゴルフティーとして利用できる。
【図面の簡単な説明】
【００７５】
【図１】図１は、本発明のゴルフティーの実施形態を模式的に示した斜視図である。
【図２】図２は、図１に示すゴルフティーのＩ−Ｉ線断面図である。
【図３】図３は、本実施形態に係るゴルフティーを用いてティーアップした状態を模式的に示した斜視図である。
【図４】図４の（ａ）は、通気孔を有さない円錐台状のゴルフティーに対する風の影響を説明するための説明図であり、図４の（ｂ）は、本実施形態に係るゴルフティーに対する風の影響を説明するための説明図である。
【図５】図５の（ａ）及び（ｂ）は、本実施形態に係るゴルフティーを切断する方法を説明するための正面図である。
【図６】図６の（ａ）及び（ｂ）は、本実施形態に係るゴルフティーの形態復元性を説明するための断面図である。
【図７】図７は、本実施形態に係るゴルフティーを重ねた状態を説明するための正面図である。
【図８】図８の（ａ）及び（ｂ）は、他の実施形態に係るゴルフティーを模式的に示した断面図である。
【図９】図９の（ａ）、（ｂ）、（ｃ）、（ｄ）及び（ｅ）は、他の実施形態に係るゴルフティーを模式的に示した正面図である。
【図１０】図１０の（ａ）、（ｂ）及び（ｃ）は、他の実施形態に係るゴルフティーの下端部を模式的に示した正面図である。
【図１１】図１１は、従来技術のゴルフティーを模式的に示した正面図である。
【符号の説明】
【００７６】
１・・・支柱
２・・・側壁部
３，３ａ，３ｂ，３ｃ，３ｄ，３ｅ・・・通気孔
５・・・上端部
５ａ・・・上端突起部
５ｂ・・・通気孔の一部
６・・・下端部
６ａ・・・下端突起部
６ｂ，６ｃ，６ｄ，６ｅ・・・切欠部
１０，１１，１２，１３，１４，１５，１６，１７，１８，１９，２０，２１，２２・・・ゴルフティー
５０・・・ゴルフボール
１００・・・地表面
Ｌ１，Ｌ２・・・高さ
【図１】
0005564176.tif 000002
【図２】
0005564176.tif 000003
【図３】
0005564176.tif 000004
【図４】
0005564176.tif 000005
【図５】
0005564176.tif 000006
【図６】
0005564176.tif 000007
【図７】
0005564176.tif 000008
【図８】
0005564176.tif 000009
【図９】
0005564176.tif 000010
【図１０】
0005564176.tif 000011
【図１１】
0005564176.tif 000012